(57)【特許請求の範囲】
【請求項１】
粘着テープにより結束するために、当該粘着テープを装着するためのテープカッターであって、
板状の基部と、
粘着面を内側にして紙管に粘着テープを巻回した粘着テープ巻体を回動自在に支持するように、該基部の中央から突設された中空円筒形状を備え、当該中空円筒周面の一部壁面が切り欠かれると共に、該中空円筒周面の切り欠かれた一部壁面の先端が中空円筒の径方向外側向きに膨出されて、前記粘着テープの紙管の縁に係合して係止するようになされた係合部が形成された支持部と、
前記基部から突設され、前記支持部に装填された粘着テープの粘着面が外に面するように反転させる円筒形状体と、
粘着テープの繰り出し方向に延設された三角形状の板状体からなり、円筒形状体から繰り出される粘着テープを前記粘着面を外側にして折り畳んで表裏が粘着面となるようになされた折曲片と、
粘着面への埃の付着を防止するカバーと、
折り曲げられた粘着テープを切断する刃面が傾斜された切断刃とからなることを特徴とするテープカッター。
【請求項２】
粘着テープにより結束するために、当該粘着テープを装着するためのテープカッターであって、
板状の基部と、
粘着面を内側にして紙管に粘着テープを巻回した粘着テープ巻体を回動自在に支持するように、該基部の中央から突設された中空円筒形状を備え、当該中空円筒周面の一部壁面が切り欠かれると共に、該中空円筒周面の切り欠かれた一部壁面の先端が中空円筒の径方向外側向きに膨出されて、前記粘着テープの紙管の縁に係合して係止するようになされた係合部が形成された支持部と、
前記基部から突設され、前記支持部に装填された粘着テープの粘着面が外に面するように反転させる円筒形状体と、
粘着テープの繰り出し方向に延設された三角形状の板状体からなり、円筒形状体から繰り出される粘着テープを前記粘着面を外側にして折り畳んで表裏が粘着面となるようになされた折曲片と、
折り曲げられた粘着テープを切断する刃面が傾斜された切断刃と、
該切断刃が固定された切断部とからなり、
該切断部は基部から垂直方向に延びる左右内壁が設けられ、該左右内壁には支持溝が設けられており、前記切断刃の刃面を粘着テープに対向させて前記支持溝に切断刃の両側端が挿入されると共に、刃蓋の左右側壁に設けられた係合突条が前記支持溝に挿入されて、前記刃蓋が切断刃を押さえ付けることにより、切断刃が切断部に固定されるようになされていることを特徴とするテープカッター。
【発明の詳細な説明】
【技術分野】
【０００１】
本発明は、果樹園や農園での農業或いは園芸などにおいて、植物を支持する支柱と植物の茎や枝を結束する粘着テープを装着し、切断するためのテープカッターに関する。
【背景技術】
【０００２】
一般に、葡萄や無花果などの果樹や茄子、トマトなどの野菜の栽培においては、茎や枝を支持するために植物に添わせて支柱が立設され、この支柱に植物の茎や枝が結束或いは誘引されて植物が容易に倒れないようになされている。又、紐や藁に替えて粘着テープによる結束器が種々提案されている。実開平７−３９３８２号公報においては、ロール状の粘着テープを収容する収納部と、この収納部に収納される粘着テープの繰出し側に配設されるテープ案内部と、被結束物を巻き付け結束した粘着テープの両端粘着面同士を押圧合掌貼りするための押圧部と、合掌貼りされた粘着テープを切断する切断部と、上記収納部の下方側に位置する握り部と、この握り部を把持する指の表面を保護する保護部とを具備するテープ結束器が提案されている。
【０００３】
又、実開昭６１−１７８８５１号公報には、巻回粘着テープの支承ボビンを装着した細長い本体フレームと、本体フレームに後端を枢支した作動アームと、本体フレームと共に片手で握って作動アームを上下動させる操作用のハンドルとを備え、本体フレームには引き出した接着テープの先を底面を経て先端に垂直に安定させる導出空隙を形成し、その後方に上向きカッターを、更にその後方にテープのしごき片を起立形成し、上面に被結束物載置降下板を枢着し、作動アームの先に降下板押下枠を固定すると共に、前記しごき片の前方に加工するテープ引張片と導出空隙に起立した接着テープを摘む固定挟持片を吊設し、固定挟持片と対向して開閉挟持片を枢着し、開閉挟持片の上端に設けた係止爪に引掛かり、本体フレームの先端に衝突する開閉挟持片操作用の摺動子を設けたテープ結束機が提案されている。
【特許文献１】実開平７−３９３８２号公報
【特許文献２】実開昭６１−１７８８５１号公報
【発明の開示】
【発明が解決しようとする課題】
【０００４】
しかしながら上記の如き結束には従来紐や藁などが用いられていたが、結束に多くの時間がかかり、作業性が悪いという問題があった。又、実開平７−３９３８２号公報に提案されているテープ結束機においては、収納部に収納された粘着テープをテープ案内部を介して所定の長さ繰り出して被結束物に巻き付け、粘着テープの粘着面同士を押圧部で接着した後、合掌貼りの先端部を切断部に押し当てて切断して結束作業を行うことができるという効果を奏するものの、植物の茎や枝と支柱を結束するのにテープを１巻きしかできず、結束が強固にできないという問題があった。又、実開昭６１−１７８８５１号公報に提案されている方法においては、被結束物はテープがしごかれることによってホッチキス針を用いることなく確実に結束できるものの、結束機が大型となり、作業の時の取り回しが大変であるという問題があった。
【０００５】
そこで本発明者は従来の欠点に鑑み鋭意研究の結果、粘着テープの装填が容易で、粘着テープの切断が容易なテープカッターを提案する。
【課題を解決するための手段】
【０００６】
本発明請求項１記載のテープカッターは、粘着テープにより結束するために、当該粘着テープを装着するためのテープカッターであって、板状の基部と、粘着面を内側にして紙管に粘着テープを巻回した粘着テープ巻体を回動自在に支持するように、該基部の中央から突設された中空円筒形状を備え、当該中空円筒周面の一部壁面が切り欠かれると共に、該中空円筒周面の切り欠かれた一部壁面の先端が中空円筒の径方向外側向きに膨出されて、前記粘着テープの紙管の縁に係合して係止するようになされた係合部が形成された支持部と、前記基部から突設され、前記支持部に装填された粘着テープの粘着面が外に面するように反転させる円筒形状体と、粘着テープの繰り出し方向に延設された三角形状の板状体からなり、円筒形状体から繰り出される粘着テープを前記粘着面を外側にして折り畳んで表裏が粘着面となるようになされた折曲片と、粘着面への埃の付着を防止するカバーと、折り曲げられた粘着テープを切断する刃面が傾斜された切断刃とからなるもので、粘着テープの装填や切断が容易で、粘着面に埃がつきにくい。
【０００７】
本発明請求項２記載のテープカッターは、粘着テープにより結束するために、当該粘着テープを装着するためのテープカッターであって、板状の基部と、粘着面を内側にして紙管に粘着テープを巻回した粘着テープ巻体を回動自在に支持するように、該基部の中央から突設された中空円筒形状を備え、当該中空円筒周面の一部壁面が切り欠かれると共に、該中空円筒周面の切り欠かれた一部壁面の先端が中空円筒の径方向外側向きに膨出されて、前記粘着テープの紙管の縁に係合して係止するようになされた係合部が形成された支持部と、前記基部から突設され、前記支持部に装填された粘着テープの粘着面が外に面するように反転させる円筒形状体と、粘着テープの繰り出し方向に延設された三角形状の板状体からなり、円筒形状体から繰り出される粘着テープを前記粘着面を外側にして折り畳んで表裏が粘着面となるようになされた折曲片と、折り曲げられた粘着テープを切断する刃面が傾斜された切断刃と、該切断刃が固定された切断部とからなり、該切断部は基部から垂直方向に延びる左右内壁が設けられ、該左右内壁には支持溝が設けられており、前記切断刃の刃面を粘着テープに対向させて前記支持溝に切断刃の両側端が挿入されると共に、刃蓋の左右側壁に設けられた係合突条が前記支持溝に挿入されて、前記刃蓋が切断刃を押さえ付けることにより、切断刃が切断部に固定されるようになされているもので、粘着テープの装填や切断が容易で、刃蓋を外すだけで切断刃が交換できるので、切断刃の交換が容易である。
【発明の効果】
【０００８】
上述の如く、本発明請求項１記載のテープカッターは、粘着テープにより結束するために、当該粘着テープを装着するためのテープカッターであって、板状の基部と、粘着面を内側にして紙管に粘着テープを巻回した粘着テープ巻体を回動自在に支持するように、該基部の中央から突設された中空円筒形状を備え、当該中空円筒周面の一部壁面が切り欠かれると共に、該中空円筒周面の切り欠かれた一部壁面の先端が中空円筒の径方向外側向きに膨出されて、前記粘着テープの紙管の縁に係合して係止するようになされた係合部が形成された支持部と、前記基部から突設され、前記支持部に装填された粘着テープの粘着面が外に面するように反転させる円筒形状体と、粘着テープの繰り出し方向に延設された三角形状の板状体からなり、円筒形状体から繰り出される粘着テープを前記粘着面を外側にして折り畳んで表裏が粘着面となるようになされた折曲片と、粘着面への埃の付着を防止するカバーと、折り曲げられた粘着テープを切断する刃面が傾斜された切断刃とからなるもので、粘着テープの装填や切断が容易で、粘着面に埃がつきにくい。又、テープ全体が収納される必要がないので、小型で操作がし易い。
【０００９】
又、本発明請求項２記載のテープカッターは、粘着テープにより結束するために、当該粘着テープを装着するためのテープカッターであって、板状の基部と、粘着面を内側にして紙管に粘着テープを巻回した粘着テープ巻体を回動自在に支持するように、該基部の中央から突設された中空円筒形状を備え、当該中空円筒周面の一部壁面が切り欠かれると共に、該中空円筒周面の切り欠かれた一部壁面の先端が中空円筒の径方向外側向きに膨出されて、前記粘着テープの紙管の縁に係合して係止するようになされた係合部が形成された支持部と、前記基部から突設され、前記支持部に装填された粘着テープの粘着面が外に面するように反転させる円筒形状体と、粘着テープの繰り出し方向に延設された三角形状の板状体からなり、円筒形状体から繰り出される粘着テープを前記粘着面を外側にして折り畳んで表裏が粘着面となるようになされた折曲片と、折り曲げられた粘着テープを切断する刃面が傾斜された切断刃と、該切断刃が固定された切断部とからなり、該切断部は基部から垂直方向に延びる左右内壁が設けられ、該左右内壁には支持溝が設けられており、前記切断刃の刃面を粘着テープに対向させて前記支持溝に切断刃の両側端が挿入されると共に、刃蓋の左右側壁に設けられた係合突条が前記支持溝に挿入されて、前記刃蓋が切断刃を押さえ付けることにより、切断刃が切断部に固定されるようになされているもので、粘着テープの装填や切断が容易で、刃蓋を外すだけで切断刃が交換できるので、切断刃の交換が容易である。
【発明を実施するための最良の形態】
【００１０】
図１は本発明テープカッターの実施形態の一例を示す斜視図であり、図２は正面図であり、図３は粘着テープを表示しない右側面図である。図に於いて１は支持部であり粘着テープａの巻体が回動可能に軸支されている。粘着テープａの巻体は粘着面を内側に巻き取られており、引き出された粘着テープａは円筒形状体２を介して粘着面が外に面するように反転される。粘着面が外に面するように反転された粘着テープａは折曲片３に当接され粘着面を外にして折り畳まれ、ガイド部４を通って切断部５へ通される。切断部５には切断刃５１が設けられ、図に於いて奧へ粘着テープａが押さえられると粘着テープａが切断される。
【００１１】
図４は本発明テープカッターの粘着テープａを装着していない状態の一例を示す正面図である。この例において、テープカッターは板状の基部８の両縁部にベルト６が挿通され、使用時には手首に巻き付けてこのテープカッターを保持しやすいようになされている。基部８の中央には中空円筒状の支持部１が形成されている。支持部１は中空円筒の一部壁面が切り欠かれ、その先端が膨出されて係合部１１となされている。この支持部１に紙管に巻回された粘着テープａが押しつけられると係合部１１が弾性的に内側へ撓められ紙管内壁が支持部１外壁に支持されると共に係合部１１が紙管の縁を係止するようになされている。支持部１の上部には円筒形状体２が設けられ、三角形状の板体からなる折曲片３が延設されている。テープカッターの右端には切断刃５１が設けられ、繰り出された粘着テープａが切断されるようになされている。円筒形状体２からガイド部４に亘ってカバー７が設けられ粘着テープａの粘着面への埃の付着が防止されている。
【００１２】
図５は本発明テープカッターにおける切断部５の実施形態の一例を示す分解斜視図であり、右端に刃蓋５３の裏面を示す参考図を添付している。切断刃５１は刃面５１１が傾斜され、刃面５１１を上にして切断部５の左右内壁５５に設けられた支持溝５２に挿入され、刃蓋５３の左右側壁に設けられた係合突条５３１が前記支持溝５２に挿入され、刃蓋５３が切断刃５１を押さえ付け固定するようになされている。刃蓋５３の裏面に設けられた係止凸部が切断部５の係止孔に嵌合し容易に外れないようになされる。
【図面の簡単な説明】
【００１３】
【図１】本発明テープカッターの実施形態の一例を示す斜視図である。
【図２】本発明テープカッターの実施形態の一例を示す正面図である。
【図３】本発明テープカッターの実施形態の一例を示す側面図である。
【図４】本発明テープカッターの実施形態の一例を示す正面図である。
【図５】本発明テープカッターにおける切断部の実施形態の一例を示す分解斜視図である。
【符号の説明】
【００１４】
１      支持部
１１    係合部
２      円筒形状体
３      折曲片
４      ガイド部
５      切断部
５１    切断刃
５２    支持溝
５３    刃蓋
５３１  係合突条
６      ベルト
７      カバー
ａ      粘着テープ
【図１】
0004550397.tif 000002
【図２】
0004550397.tif 000003
【図３】
0004550397.tif 000004
【図４】
0004550397.tif 000005
【図５】
0004550397.tif 000006